(57)【要約】【課題】冬季間毎日降雪する除雪は、大変な労力を必要としている。本発明は、歩行しながら雪を左右、前方に吹き飛ばす事の出来る安価なエンジン付きハンド除雪機を提供するものである【解決手段】  冬季間不使用の使い慣れた、エンジン付き草刈り機の刃を本発明の除雪用ブレードに交換しエンジン付きハンド除雪機として、積雪した雪の上を除雪機を左右に振る事で雪を左右前方に吹き飛ばし除雪できる事を特徴としている。【選択図】図3
2012167503.tif 000002
【特許請求の範囲】
【請求項１】
回転し雪を切削する部材と、切削された雪粉吐き出す保護カバーから構成された事を特徴とする特許請求項1のエンジン付きハンド除雪機。
【請求項２】
回転する円盤部材外周に鋭利な切削機能部を設け、円盤部材両面に切削部材のブレードを設けた事を特徴とする特許請求項2のエンジン付きハンド除雪機。
【請求項３】
回転し雪を切削する部材をＬ型形状の部材とした事を特徴とする特許請求項3のエンジン付きハンド除雪機。
【請求項４】
回転切削する部材に、鋭利なＬ型鋸刃形状の切削部材のブレードを設けた事を特徴とする特許請求項4のエンジン付きハンド除雪機。
【請求項５】
回転し雪を切削する部材をコの字型の形状の部材としたことを特徴とする特許請求項５のエンジン付きハンド除雪機。
【発明の詳細な説明】
【技術分野】
【０００１】
本発明は、除雪グレイダー、除雪ローダー等で除雪された雪が道路脇に積み重なり凍り付いて硬くなった雪魂等を、切削し取り除く除雪機に関するものである。
【背景技術】
【０００２】
積雪した雪の除雪には、スノーダンプ、除雪スコップ等除雪道具が有るが、
凍り付いた硬い雪には上記した道具では、雪を壊すことができず、除雪が困難であった。
【０００３】
凍りついた硬い雪を除雪撤去するために、スコップの先が鋭利な、剣先スコップ、又はツルハシ等で、雪を砕き除雪していた。
【０００４】
これらの道具を使用しての作業は、大変骨の折れる作業である。
【０００５】
雪が付着しにくい、プラスチック性の除雪スコップを用いて硬い雪の除雪に使用すると、プラスチック部のひび割れ、柄の破損が生じる等の欠点があった。
【０００６】
自走式エンジン駆動の小型除雪機等が有るが、部分的に硬く少量有る雪魂の硬い雪の為に使用するには適していない。
【先行技術文献】
【特許文献】
【０００７】
【特許文献１】特開2009-221711号公報
【特許文献２】特開2005-299157号公報
【発明の開示】
【発明が解決しようとする課題】
【０００８】
上記した、雪魂の硬い雪をより簡単に、除雪撤去することに有る。
【課題を解決するための手段】
【０００９】
片手で持てる小型動力を用い、回転する切削除雪ブレードで硬い雪を切削し雪粉となった雪を遠心力と風で吹き飛ばす。
【００１０】
本発明の除雪に使用する小型動力は、冬季期間使用しないエンジン付き草刈り機を使用するものである。
【発明の効果】
【００１１】
既存の冬期間不使用の草刈機の刃を、本発明の除雪用ブレードに取り替えてハンド除雪機として活用する事で  安価なエンジン付きハンド除雪機を提供でき、硬い雪の除雪に効果がある。
【００１２】
凍り付いた雪魂の硬い雪の撤去、除雪用に発明したものであるが、粉雪、湿った雪などに適した除雪ブレードを用いる事でどんな雪質の除雪にも対応出来るハンド除雪機が出来た。
【発明を実施するための最良の形態】
【００１３】
既存のエンジン付き草刈機の動力伝導軸であるシャフト（6）を90度回転させ、刃が垂直になるようにし、本発明の除雪ブレード（2）を取り付けて使用する。
【００１４】
動力伝導軸であるシャフト（6）に除雪ブレードを保護しながら切削された雪粉を導き吐き出す保護カバー（1）を取り付けする。
【実施例１】
【００１５】
回転する円盤状部材（16）外周に鋸状の鋭利な刃を設ける（図１４）。
【００１６】
円盤状部材両面に回転し雪に接する面に鋭利な刃付きＬ型切削部材のブレード（3）を設ける（図１４）（図１６）。
【００１７】
切削部材のブレード（3）は、円盤状部材（16）外周の鋸状の刃より内側１０mm程側に中心に向かい４カ所放射状に切削ブレード（3）を設ける（図１９）（図２０）。
【００１８】
円盤外周部で切削され粉状となった雪と、切削ブレード（3）で削り取られた雪を高速回転で雪粉吐き出し口（5）より吐き出す（図７）（図８）。
【００１９】
エンジンからの動力伝導軸シャフトを円盤状部材が、垂直になるように、シャフトを９０度回転し、円盤状部材（16）両面に切削ブレード（3）設ける事により、切削ブレード（3）が雪面に垂直となりハンド除雪機を雪上面で左右に振ると雪に接する面の雪が切削され弾き飛ばされ除雪出来る。
【００２０】
本発明の円盤上に設けた切削ブレード（3）の断面形状はＬ型となっているが形状は必ずしもＬ形状にこだわらず、類似した作用があれば、Ｉ型の形状の部材、コの字型形状部材（4）等を取り付けしても良い。
【００２１】
本発明の切削ブレード（3）（4）の材質は、ステンレスを用いているが、雪を削ることの出来る、材質であれば、どのような材質の物を用いても良い。
【００２２】
本発明の除雪切削ブレード（15）を雪面に垂直にし、左右にハンド除雪機を振りながら除雪を行う。
【００２３】
円盤上に設けたブレード（3）で回転時、雪を外周に遠心力で弾き飛ばすように角度を設けて取り付けし、切削された雪粉吐き出す保護カバー（1）外周一端から雪粉を吐き出す構造としても良いが、より切削ブレードを雪面に接触しやすくする為に、保護カバー先端の厚さを薄くした形状の保護カバーとしても良い（図５）（図８）。
【００２４】
本発明のエンジン付きハンド除雪機は、回転するブレード外周一端より雪を吐き出す構造となっているが（図7）、回転するブレード（3）で、雪を中心にかき集めるようにブレード（3）に角度を設け取り付けして、保護カバー（1）中心から、雪粉を吐き出す構造としても良い（図15）。
【実施例２】
【００２５】
回転し雪を切削する部材をＬ型形状の部材（3）とし、雪面に接する部を鋭利な鋸状の形状とし雪面を削る構造とし、（図10）（図11）削られた雪粉を遠心力では弾き飛ばす構造とする。
【００２６】
回転し雪を切削する部材の切削部材のブレード（2）は、厚さ２mm程のスチール性部材を用い十字形状一端を90度にヒネリ加工した切削部材のブレード（2）としても良い（図17、図18）。
【００２７】
（図11.12.13）切削部材のブレード（2）で厚さ２mm程のスチール部材を用い十字形状一端を90度にヒネリ加工し、雪面に接する部に鋭利な刃付きＬ型部材を取り付けた切削部材のブレード（3）としても良い。
【００２８】
回転し雪を切削する部分をコの字型の形状の部材としプレス加工したスチール部材としても良い（13図）。
【実施例３】
【００２９】
本発明の切削された雪粉吐き出す保護カバー（1）は、切削ブレード外周を囲み込むような構造となっているが、切削部のブレードが、雪魂に直接切り込みを入れやすくする為に、ハンド除雪機先端保護カバーを適度に切り取った形状の雪粉吐き出す保護カバーとしても良い（図9）。
【産業上の利用可能性】
【００３０】
近年高齢化社会が急速に進み、高齢者だけで生活している家庭が多くなってきている、この為冬季間毎日降る雪の除雪が大きな課題となっている。
【００３１】
エンジン付き自走式除雪機が主流として使用しているが、価格が高価であり、又、高齢者、女性には扱いにくい等、使用時抵抗が有った。
【００３２】
本発明のハンド除雪機は、使い慣れた冬季間使用していないエンジン付き草刈り機の刃を、除雪用ブレードに替え除雪機として活用するもので、降雪した雪面を、本ハンド除雪機を歩行しながら左右に雪を吹き飛ばす為、除雪スコップによる作業の腰曲げ動作がない為、腰を痛める事がなく作業が楽である。
【００３３】
上記したように、休眠している草刈り機を使用する為、除雪ブレード等を購入するだけで、使い慣れた草刈り機を除雪機として活用することで、安全で安価な除雪機を提供できる。
【図面の簡単な説明】
【００３４】
【図１】既存のエンジン付き草刈り機である。
【図２】本発明の  平面状況斜視図。
【図３】本発明の  平面状況斜視図。
【図４】本発明の  左側面状況斜視図。
【図５】本発明の  右側面状況斜視図。
【図６】本発明の  底面状況斜視図。
【図７】本発明の  低面状況斜視図。
【図８】本発明の正面斜視図
【図９】本発明の  除雪機の保護カバー先端一部を切り取りした平面状況斜  視図。
【図１０】鋭利な鋸状形状のＬ型切削ブレード。
【図１１】先端を鋸状形状としたＬ型切削ブレード。
【図１２】Ｌ型切削ブレード。
【図１３】コの字形切削ブレード。
【図１４】円盤状切削部材に、Ｌ型切削ブレードを設けた正面斜視図。
【図１５】保護カバー（1）中心から、雪粉を吐き出す構造とした除雪機。
【図１６】切削ブレードカバー上面から雪粉を前方に吐き出す構造のハンド除雪機側面図。
【図１７】回転し雪を切削する部材をスチール製の十字形形状部材とし、四方一端をひねり加工した切削部材の正面斜視図。
【図１８】回転し雪を切削する部材をスチール製の十字形形状部材とし、四方一端をひねり加工した切削部材の側面斜視図。
【図１９】円盤状切削部材に、Ｌ型切削ブレードを設けた正面斜視図。
【図２０】円盤状切削部材に、Ｌ型切削ブレードを設けた側面斜視図。
【符号の説明】
【００３５】
１    雪粉吐き出す保護カバー。
２    回転し雪を切削し吐き出す除雪ブレード部材。
３    Ｌ型切削ブレード。
４    コの字型切削ブレード。
５    雪粉吐き出し口。
６    エンジンからの駆動回転軸のシャフト。
７    雪粉吐き出す保護カバー前面一部切り取りした保護カバー。
８    既存の草刈り機の刃。
９    既存の草刈り機の保護カバー。
１０  底カバー。
１１  既存の草刈り機。
１２  草刈り機の刃。
１３  鋭利な鋸刃状をしたＬ型切削ブレード。
１４  切削ブレードカバー。
１５  除雪ブレード。
１６  円盤状部材。
１７  草刈機の刃。
１８  安全ガード。
１９  円盤形状の切削部材。
【図１】
2012167503.tif 000003
【図２】
2012167503.tif 000004
【図３】
2012167503.tif 000005
【図４】
2012167503.tif 000006
【図５】
2012167503.tif 000007
【図６】
2012167503.tif 000008
【図７】
2012167503.tif 000009
【図８】
2012167503.tif 000010
【図９】
2012167503.tif 000011
【図１０】
2012167503.tif 000012
【図１１】
2012167503.tif 000013
【図１２】
2012167503.tif 000014
【図１３】
2012167503.tif 000015
【図１４】
2012167503.tif 000016
【図１５】
2012167503.tif 000017
【図１６】
2012167503.tif 000018
【図１７】
2012167503.tif 000019
【図１８】
2012167503.tif 000020
【図１９】
2012167503.tif 000021
【図２０】
2012167503.tif 000022